(57)【要約】【課題】データ放送用コンテンツについて、映像ＥＳ及び音声ＥＳに多重して伝送するための放送用データＥＳを生成するデータ放送生成装置、放送システム及びプログラムを提供する。【解決手段】本発明の放送システム１におけるデータ放送生成装置５０は、規定のカルーセル周期内のデータブロックで放送用データＥＳを生成するデータ放送生成部５３と、入力される当該データ放送用コンテンツのコンテンツサイズに応じて、画像情報の削除、当該データ放送用コンテンツ内のカテゴリについて優先度に応じた削減、及び、映像ＥＳ及び／又は音声ＥＳについて伝送ビットレートを下げるか又は伝送を無くすことによるデータ放送の伝送ビットレートの拡張のいずれかを実行して、規定のカルーセル周期内で当該データ放送用コンテンツを伝送するようデータ放送生成部５３における放送用データＥＳの生成を制御する伝送ビットレート管理部５１と、を備える。【選択図】図１
2013229831.tif 000002
【特許請求の範囲】
【請求項１】
データ放送用コンテンツについて、映像ＥＳ及び音声ＥＳに多重して伝送するための放送用データＥＳを生成するデータ放送生成装置であって、
当該データ放送用コンテンツは画像情報とテキスト情報のうち少なくとも一方で分類することが可能な予め定めた優先度を有するカテゴリのデータ群となるように構成されており、
規定のカルーセル周期内のデータブロックで放送用データＥＳを生成するデータ放送生成部と、
入力される当該データ放送用コンテンツのコンテンツサイズからデータ放送で伝送するときの伝送ビットレートを導出し、前記導出した伝送ビットレートが所定の閾値を超える際に、当該データ放送用コンテンツ内の画像情報を削除することによりコンテンツサイズを小さくする画像削減判定処理、当該データ放送用コンテンツ内のカテゴリを前記優先度に応じて削減することによりコンテンツサイズを小さくするカテゴリ削減判定処理、及び、映像ＥＳ及び／又は音声ＥＳの伝送ビットレートを下げるか、又は映像ＥＳ及び音声ＥＳのうちの少なくとも一方の伝送を無くすことによりデータ放送の伝送ビットレートの拡張を行う映像・音声レート削減判定処理のうち少なくとも１つ以上を実行して、規定のカルーセル周期内で当該データ放送用コンテンツを伝送するよう前記データ放送生成部における放送用データＥＳの生成を制御する伝送ビットレート管理部と、
を備えることを特徴とするデータ放送生成装置。
【請求項２】
前記伝送ビットレート管理部は、映像ＥＳ及び音声ＥＳで伝送するための同一コンテンツについて伝送ビットレートの異なる予め用意された２種類の動画ファイルのうち伝送ビットレートの低い動画ファイルの映像ＥＳ及び音声ＥＳを多重する際の伝送容量からデータ放送の伝送ビットレートの拡張を行なうように前記データ放送生成部における放送用データＥＳの生成を制御する手段を更に備えることを特徴とする、請求項１に記載のデータ放送生成装置。
【請求項３】
前記伝送ビットレート管理部は、前記導出した伝送ビットレートが所定の閾値を超える際に、データＥＳについて低優先度枠データＥＳと高優先度枠データＥＳを設け、当該データ放送用コンテンツにおける優先度の高いカテゴリのデータを高優先度枠データＥＳに設定するとともに、当該データ放送用コンテンツにおける優先度の低いカテゴリのデータを低優先度枠データＥＳに設定し、優先度の低い低優先度枠データＥＳの伝送ビットレートを低くし、優先度の高い高優先度枠データＥＳの伝送ビットレートを高くするよう前記データ放送生成部における放送用データＥＳの生成を制御する手段を更に備えることを特徴とする、請求項１又は２に記載のデータ放送生成装置。
【請求項４】
前記伝送ビットレート管理部は、前記導出した伝送ビットレートが所定の閾値を超える際に、当該データ放送用コンテンツのうち既定のカルーセル周期を超える分のデータ放送について当該データ放送用コンテンツにおける前記画像情報を映像化するとともに前記テキスト情報を音声化したデータ放送動画を生成してデータ放送動画の映像ＥＳ及び音声ＥＳを当該多重する映像ＥＳ及び音声ＥＳとするために、当該データ放送用コンテンツのうち既定のカルーセル周期を超える分のデータ放送素材を前記データ放送生成部から送出させる手段を更に備えることを特徴とする、請求項１から３のいずれか一項に記載のデータ放送生成装置。
【請求項５】
前記伝送ビットレート管理部は、前記導出した伝送ビットレートが所定の閾値を超える際に、当該データ放送用コンテンツのうち既定のカルーセル周期を超える分のデータ放送素材については所定の蓄積サービスにおける蓄積サービス用データＥＳとして蓄積させることとして、前記データ放送生成部における放送用データＥＳの生成を制御する手段を更に備えることを特徴とする、請求項１から４のいずれか一項に記載のデータ放送生成装置。
【請求項６】
前記伝送ビットレート管理部は、当該データ放送用コンテンツにおける前記テキスト情報に対し句読点をなくすことでコンテンツサイズを小さくする手段を更に備えることを特徴とする、請求項１から５のいずれか一項に記載のデータ放送生成装置。
【請求項７】
データ放送用コンテンツについて、映像ＥＳ及び音声ＥＳに多重して伝送するための放送用データＥＳを生成するデータ放送生成装置であって、
当該データ放送用コンテンツは画像情報とテキスト情報のうち少なくとも一方で分類することが可能な予め定めた優先度を有するカテゴリのデータ群となるように構成されており、
規定のカルーセル周期内のデータブロックで放送用データＥＳを生成するデータ放送生成部と、
入力される当該データ放送用コンテンツのコンテンツサイズからデータ放送で伝送するときの伝送ビットレートを導出し、前記導出した伝送ビットレートが所定の閾値を超える際に、データＥＳについて低優先度枠データＥＳと高優先度枠データＥＳを設け、当該データ放送用コンテンツにおける優先度の高いカテゴリのデータを高優先度枠データＥＳに設定するとともに、当該データ放送用コンテンツにおける優先度の低いカテゴリのデータを低優先度枠データＥＳに設定し、優先度の低い低優先度枠データＥＳの伝送ビットレートを低くし、優先度の高い高優先度枠データＥＳの伝送ビットレートを高くするよう前記データ放送生成部における放送用データＥＳの生成を制御する伝送ビットレート管理部と、
を備えることを特徴とするデータ放送生成装置。
【請求項８】
データ放送用コンテンツについて、映像ＥＳ及び音声ＥＳに多重して伝送するための放送用データＥＳを生成するデータ放送生成装置であって、
当該データ放送用コンテンツは画像情報とテキスト情報のうち少なくとも一方で分類することが可能な予め定めた優先度を有するカテゴリのデータ群となるように構成されており、
規定のカルーセル周期内のデータブロックで放送用データＥＳを生成するデータ放送生成部と、
入力される当該データ放送用コンテンツのコンテンツサイズからデータ放送で伝送するときの伝送ビットレートを導出し、前記導出した伝送ビットレートが所定の閾値を超える際に、当該データ放送用コンテンツのうち既定のカルーセル周期を超える分のデータ放送素材を前記データ放送生成部から送出させる伝送ビットレート管理部と、
当該データ放送用コンテンツのうち既定のカルーセル周期を超える分のデータ放送について当該データ放送用コンテンツにおける前記画像情報を映像化するとともに前記テキスト情報を音声化したデータ放送動画を生成し、前記データ放送動画の映像ＥＳ及び音声ＥＳを当該多重する映像ＥＳ及び音声ＥＳとして送出するデータ放送動画生成部と、
前記導出した伝送ビットレートが所定の閾値を超える際に、前記伝送ビットレート管理部からの指示によって前記データ放送動画の映像ＥＳ及び音声ＥＳの送出の制御を行うデータ放送動画切替部と、
を備えることを特徴とするデータ放送生成装置。
【請求項９】
データ放送用コンテンツについて、映像ＥＳ及び音声ＥＳに多重して伝送する放送システムであって、
所定の蓄積サービスで蓄積サービス用データＥＳを蓄積して送出する蓄積サービス送出装置と、
入力される当該データ放送用コンテンツのコンテンツサイズからデータ放送で伝送するときの伝送ビットレートを導出し、前記導出した伝送ビットレートが所定の閾値を超える際に、当該データ放送用コンテンツのうち既定のカルーセル周期を超える分のデータ放送素材を前記蓄積サービス送出装置に送出して蓄積させ、規定のカルーセル周期内のデータブロックで放送用データＥＳを生成するデータ放送生成装置と、
前記データ放送生成装置から送出される放送用データＥＳと、前記蓄積サービス送出装置によって蓄積される蓄積サービス用データＥＳと、映像ＥＳ及び音声ＥＳとをそれぞれ割り当てられた帯域の伝送ビットレートで多重化する多重化装置と、
当該多重化した映像ＥＳ、音声ＥＳ、放送用データＥＳ及び蓄積サービス用データＥＳについて放送波信号を生成する送信装置と、
を備えることを特徴とする放送システム。
【請求項１０】
データ放送用コンテンツについて、映像ＥＳ及び音声ＥＳに多重して伝送する放送システムであって、
映像ＥＳ及び音声ＥＳで伝送するための同一コンテンツについて伝送ビットレートの異なる２種類の動画ファイルを予め格納している動画ファイルＤＢと、
入力される当該データ放送用コンテンツのコンテンツサイズからデータ放送で伝送するときの伝送ビットレートを導出し、前記導出した伝送ビットレートが所定の閾値を超える際に、前記２種類の動画ファイルのうち伝送ビットレートの低い動画ファイルの映像ＥＳ及び音声ＥＳを多重する際の伝送容量からデータ放送の伝送ビットレートの拡張を行なって、規定のカルーセル周期内のデータブロックで放送用データＥＳを生成するデータ放送生成装置と、
前記導出した伝送ビットレートが所定の閾値を超える際に、前記２種類の動画ファイルのうち伝送ビットレートの低い動画ファイルの映像ＥＳ及び音声ＥＳを出力する動画送出装置と、
前記動画送出装置から送出される映像ＥＳ及び音声ＥＳと、前記データ放送生成装置によって生成される放送用データＥＳとをそれぞれ割り当てられた帯域の伝送ビットレートで多重化する多重化装置と、
当該多重化した映像ＥＳ、音声ＥＳ及び放送用データＥＳについて放送波信号を生成する送信装置と、
を備えることを特徴とする放送システム。
【請求項１１】
データ放送用コンテンツについて、映像ＥＳ及び音声ＥＳに多重して伝送する放送システムであって、
所定の蓄積サービスで蓄積サービス用データＥＳを蓄積して送出する蓄積サービス送出装置と、
入力される当該データ放送用コンテンツのコンテンツサイズからデータ放送で伝送するときの伝送ビットレートを導出し、前記導出した伝送ビットレートが所定の閾値を超える際に、当該データ放送用コンテンツのうち既定のカルーセル周期を超える分のデータ放送素材を前記蓄積サービス送出装置に送出して蓄積させ、規定のカルーセル周期内のデータブロックで放送用データＥＳを生成するデータ放送生成装置と、
前記データ放送生成装置から送出される放送用データＥＳと、前記蓄積サービス送出装置によって蓄積される蓄積サービス用データＥＳと、映像ＥＳ及び音声ＥＳとをそれぞれ割り当てられた帯域の伝送ビットレートで多重化する多重化装置と、
当該多重化した映像ＥＳ、音声ＥＳ、放送用データＥＳ及び蓄積サービス用データＥＳについて放送波信号を生成する送信装置と、
を備えることを特徴とする放送システム。
【請求項１２】
データ放送用コンテンツについて、映像ＥＳ及び音声ＥＳに多重して伝送するための放送用データＥＳを生成するデータ放送生成装置として構成するコンピュータに、
当該データ放送用コンテンツは画像情報とテキスト情報のうち少なくとも一方で分類することが可能な予め定めた優先度を有するカテゴリのデータ群となるように構成されており、
規定のカルーセル周期内のデータブロックで放送用データＥＳを生成するステップと、
入力される当該データ放送用コンテンツのコンテンツサイズからデータ放送で伝送するときの伝送ビットレートを導出し、前記導出した伝送ビットレートが所定の閾値を超える際に、当該データ放送用コンテンツ内の画像情報を削除することによりコンテンツサイズを小さくする画像削減判定処理、当該データ放送用コンテンツ内のカテゴリを前記優先度に応じて削減することによりコンテンツサイズを小さくするカテゴリ削減判定処理、及び、映像ＥＳ及び／又は音声ＥＳの伝送ビットレートを下げるか、又は映像ＥＳ及び音声ＥＳのうちの少なくとも一方の伝送を無くすことによりデータ放送の伝送ビットレートの拡張を行う映像・音声レート削減判定処理のうち少なくとも１つ以上を実行して、規定のカルーセル周期内のデータブロックで当該データ放送用コンテンツを伝送するよう前記放送用データＥＳの生成を制御するステップと、
を実行させるためのプログラム。
【発明の詳細な説明】
【技術分野】
【０００１】
本発明は、データ放送の技術に関し、特に携帯電話等の受信機に対してより効率的にデータ放送を送信するためのデータ放送生成装置、放送システム及びプログラムに関する。
【背景技術】
【０００２】
近年では、エリアワンセグ放送やＶＨＦ‐Ｌｏｗ帯マルチメディア放送など、移動端末又は携帯端末などの受信機向けの新たな放送サービスの実現に向けた検討が進んでいる。特に、この放送サービスの内容としては、映像・音声・データ放送を組み合わせたサービスが検討されている。
【０００３】
これらの放送サービスでは、発災後、例えば通信が遮断や輻輳で使用できない状況でも、放送波を使っての災害情報の提供が期待されている。
【０００４】
一方で、これらの放送サービス上では伝送容量が制限されており、災害情報などのデータ放送用コンテンツはそのデータ量が動的に逐次変化することが多いことから、データ放送の伝送周期の上限（放送事業者が運用上設定した周期の上限であり、以下、「規定のカルーセル周期」とも称する）を超えることもよくある。
【０００５】
このような場合、現在のデータ放送に関する放送システムでは、コンテンツサイズが大きくなることが想定される場合、データ放送用コンテンツのデータＥＳ（Elementary Stream）の一部を通信サーバに置くように運用されている。これにより、受信機側で、放送波で伝送されるデータ受信要求を行うためのデータ放送画面から通信サーバにアクセスして、データ放送用コンテンツの全てのデータを取得することができる。
【０００６】
例えば、図１４に、従来のデータ放送に関する放送システム１００を示す。この放送システム１００は、符号化装置１１と、データ放送生成装置１２と、通信サーバ１３と、多重化装置１５と、送信装置１６とを備える。
【０００７】
符号化装置１１は、カメラ１０から出力される映像信号及び音声信号を入力して、映像エンコーダ１１１及び音声エンコーダ１１２によりそれぞれ所定の伝送ビットレートで符号化処理を施し映像ＥＳ及び音声ＥＳを生成する。
【０００８】
データ放送生成装置１２は、コンテンツ入力部１２１により災害情報などのデータ放送用コンテンツを入力してデータ放送生成部１２２により所定の伝送ビットレートで規定のカルーセル周期内のファイルを伝送単位に分割したデータブロックからなる放送用データＥＳを生成するとともに、規定のカルーセル周期を超えるデータブロックを通信用データＥＳとして通信サーバ１３に送信する。
【０００９】
通信サーバ１３は、通信用データＥＳを通信用データＤＢ（データベース）１４に格納する。
【００１０】
多重化装置１５は、符号化装置１１によって生成される映像ＥＳ及び音声ＥＳと、データ放送生成装置１２によって生成される放送用データＥＳとをそれぞれ割り当てられた帯域の伝送ビットレートで多重化し、送信装置１６に送信する。尚、データ放送で伝送されるコンテンツの放送用データＥＳは、カルーセル構成にて伝送される。このため、多重化装置１５は、データ放送用コンテンツの容量が大きいときには規定のカルーセル周期よりもカルーセル周期を長くしておき、受信機２０によって通信サーバ１３へのアクセスで通信用データＥＳを取得させ、データ放送用コンテンツの全てのデータを取得できるようにする。
【００１１】
送信装置１６は、多重化した映像ＥＳ、音声ＥＳ及び放送用データＥＳについて放送波信号を生成して放送所１８に送信する。放送所１８では、送信装置１６からの放送波信号を受信機２０にて受信可能にするために放送波を伝送する。
【００１２】
受信機２０は、規定のカルーセル周期よりもカルーセル周期で当該放送波から放送用データＥＳを取得するとともにデータ受信要求を行うためのデータ放送画面の情報を取得し、このデータ放送画面によりデータ受信要求を行う操作を行って無線通信装置１９を経由してネットワーク１７に接続される通信サーバ１３にアクセスし、通信用データＤＢ１４に格納されている通信用データＥＳを無線キャリアで取得する。最終的に、受信機２０は、データ放送用コンテンツに関する放送用データＥＳと通信用データＥＳを連結して、データ放送用コンテンツの全てのデータを取得することができる。
【００１３】
例えば、データ放送用コンテンツの全てのデータを構成するデータブロックが１２個の“Ｄ１”〜“Ｄ１２”としたとき、放送システム１００は、放送用データＥＳのデータブロックとして“Ｄ１”〜“Ｄ４”を放送波で、通信用データＥＳのデータブロックとして“Ｄ５”〜“Ｄ１２”を通信用の無線キャリアで受信機２０に向けて伝送する。例えば、図１５（Ａ）に示すように、放送システム１００は、規定のカルーセル周期よりも長いカルーセル周期で“Ｄ１”〜“Ｄ４”の伝送し、図１５（Ｂ）に示すように、受信機２０は、通信サーバ１３上に置かれた規定のカルーセル周期を超えてしまう分のデータブロックからなる通信用データＥＳを通信用無線キャリアで取得して連結する。これにより、受信機２０は、データ放送用コンテンツの全てのデータを取得することができる。
【００１４】
しかしながら、受信機２０としてはデータ受信要求を行う操作が必要となり、さらに、データ放送用コンテンツの全てのデータを取得するまでの受信応答時間が長くなるため、例えばデータ放送用コンテンツが災害情報などの緊急性を要するものである場合には、十分な放送サービスを実現できないという問題がある。
【００１５】
この問題を解決するための技法として、通信サーバの利用を確保しつつ、データ放送により、データ容量が少ないコンテンツを低次階層とし、データ容量が多いコンテンツを高次階層として、複数の階層より成る階層構造化されたデータカルーセルで伝送する技法が開示されている（例えば、特許文献１参照）。
【先行技術文献】
【特許文献】
【００１６】
【特許文献１】特開２００３−１４３０８９号公報
【発明の概要】
【発明が解決しようとする課題】
【００１７】
前述したように、災害時には、移動体通信網が使用できない場合があり、放送サービスにより災害情報の提供を行うことが望まれる。
【００１８】
しかしながら、現在のデータ放送に関する放送システムでは、災害情報などのデータ放送用コンテンツのコンテンツサイズが大きくなることが想定される場合、データ放送用コンテンツのデータＥＳの一部を通信サーバに置くように運用されているため、伝送周期が長くなり受信機２０のユーザが選局してからデータ放送を閲覧可能となるまでの時間が長くなる。現在のデータ放送に関する放送システムは、逐次更新されコンテンツサイズが動的に変化し、且つ緊急性を要することもある災害情報の提供という観点から十分な放送サービスを実現できないという問題がある。
【００１９】
一方、特許文献１の技術では、複数の階層より成る階層構造化されたデータカルーセルで伝送することで、上述の現在のデータ放送に関する放送システムよりも情報伝送の効率化を図ることが可能となるが、依然として、規定のカルーセル周期を超えるデータ量のコンテンツサイズの場合、データ放送用コンテンツのデータＥＳの一部については通信サーバを利用せざるをえない。
【００２０】
本発明は、上述の問題を鑑みて為されたものであり、受信機に対してより効率的にデータ放送を送信するために、データ放送用コンテンツについて、映像ＥＳ及び音声ＥＳに多重して伝送するための放送用データＥＳを生成するデータ放送生成装置、放送システム及びプログラムを提供することを目的とする。
【課題を解決するための手段】
【００２１】
本発明のデータ放送生成装置及び放送システムは、データ放送用コンテンツサイズに応じて、映像・音声のレートや、データ放送用コンテンツのサイズ調整を行い、カルーセル周期が変わらないよう制御する。
【００２２】
即ち、本発明のデータ放送生成装置は、データ放送用コンテンツについて、映像ＥＳ及び音声ＥＳに多重して伝送するための放送用データＥＳを生成するデータ放送生成装置であって、当該データ放送用コンテンツは画像情報とテキスト情報のうち少なくとも一方で分類することが可能な予め定めた優先度を有するカテゴリのデータ群となるように構成されており、規定のカルーセル周期内のデータブロックで放送用データＥＳを生成するデータ放送生成部と、入力される当該データ放送用コンテンツのコンテンツサイズからデータ放送で伝送するときの伝送ビットレートを導出し、前記導出した伝送ビットレートが所定の閾値を超える際に、当該データ放送用コンテンツ内の画像情報を削除することによりコンテンツサイズを小さくする画像削減判定処理、当該データ放送用コンテンツ内のカテゴリを前記優先度に応じて削減することによりコンテンツサイズを小さくするカテゴリ削減判定処理、及び、映像ＥＳ及び／又は音声ＥＳの伝送ビットレートを下げるか、又は映像ＥＳ及び音声ＥＳのうちの少なくとも一方の伝送を無くすことによりデータ放送の伝送ビットレートの拡張を行う映像・音声レート削減判定処理のうち少なくとも１つ以上を実行して、規定のカルーセル周期内で当該データ放送用コンテンツを伝送するよう前記データ放送生成部における放送用データＥＳの生成を制御する伝送ビットレート管理部と、を備えることを特徴とする。
【００２３】
また、本発明のデータ放送生成装置において、前記伝送ビットレート管理部は、映像ＥＳ及び音声ＥＳで伝送するための同一コンテンツについて伝送ビットレートの異なる予め用意された２種類の動画ファイルのうち伝送ビットレートの低い動画ファイルの映像ＥＳ及び音声ＥＳを多重する際の伝送容量からデータ放送の伝送ビットレートの拡張を行なうように前記データ放送生成部における放送用データＥＳの生成を制御する手段を更に備えることを特徴とする。
【００２４】
また、本発明のデータ放送生成装置において、前記伝送ビットレート管理部は、前記導出した伝送ビットレートが所定の閾値を超える際に、データＥＳについて低優先度枠データＥＳと高優先度枠データＥＳを設け、当該データ放送用コンテンツにおける優先度の高いカテゴリのデータを高優先度枠データＥＳに設定するとともに、当該データ放送用コンテンツにおける優先度の低いカテゴリのデータを低優先度枠データＥＳに設定し、優先度の低い低優先度枠データＥＳの伝送ビットレートを低くし、優先度の高い高優先度枠データＥＳの伝送ビットレートを高くするよう前記データ放送生成部における放送用データＥＳの生成を制御する手段を更に備えることを特徴とする。
【００２５】
また、本発明のデータ放送生成装置において、前記伝送ビットレート管理部は、前記導出した伝送ビットレートが所定の閾値を超える際に、当該データ放送用コンテンツのうち既定のカルーセル周期を超える分のデータ放送について当該データ放送用コンテンツにおける前記画像情報を映像化するとともに前記テキスト情報を音声化したデータ放送動画を生成してデータ放送動画の映像ＥＳ及び音声ＥＳを当該多重する映像ＥＳ及び音声ＥＳとするために、当該データ放送用コンテンツのうち既定のカルーセル周期を超える分のデータ放送素材を前記データ放送生成部から送出させる手段を更に備えることを特徴とする。
【００２６】
また、本発明のデータ放送生成装置において、前記伝送ビットレート管理部は、前記導出した伝送ビットレートが所定の閾値を超える際に、当該データ放送用コンテンツのうち既定のカルーセル周期を超える分のデータ放送素材については所定の蓄積サービスにおける蓄積サービス用データＥＳとして蓄積させることとして、前記データ放送生成部における放送用データＥＳの生成を制御する手段を更に備えることを特徴とする。
【００２７】
また、本発明のデータ放送生成装置において、前記伝送ビットレート管理部は、当該データ放送用コンテンツにおける前記テキスト情報に対し句読点をなくすことでコンテンツサイズを小さくする手段を更に備えることを特徴とする。
【００２８】
更に、本発明のデータ放送生成装置は、データ放送用コンテンツについて、映像ＥＳ及び音声ＥＳに多重して伝送するための放送用データＥＳを生成するデータ放送生成装置であって、当該データ放送用コンテンツは画像情報とテキスト情報のうち少なくとも一方で分類することが可能な予め定めた優先度を有するカテゴリのデータ群となるように構成されており、規定のカルーセル周期内のデータブロックで放送用データＥＳを生成するデータ放送生成部と、入力される当該データ放送用コンテンツのコンテンツサイズからデータ放送で伝送するときの伝送ビットレートを導出し、前記導出した伝送ビットレートが所定の閾値を超える際に、データＥＳについて低優先度枠データＥＳと高優先度枠データＥＳを設け、当該データ放送用コンテンツにおける優先度の高いカテゴリのデータを高優先度枠データＥＳに設定するとともに、当該データ放送用コンテンツにおける優先度の低いカテゴリのデータを低優先度枠データＥＳに設定し、優先度の低い低優先度枠データＥＳの伝送ビットレートを低くし、優先度の高い高優先度枠データＥＳの伝送ビットレートを高くするよう前記データ放送生成部における放送用データＥＳの生成を制御する伝送ビットレート管理部と、を備えることを特徴とする。
【００２９】
更に、本発明のデータ放送生成装置は、データ放送用コンテンツについて、映像ＥＳ及び音声ＥＳに多重して伝送するための放送用データＥＳを生成するデータ放送生成装置であって、当該データ放送用コンテンツは画像情報とテキスト情報のうち少なくとも一方で分類することが可能な予め定めた優先度を有するカテゴリのデータ群となるように構成されており、規定のカルーセル周期内のデータブロックで放送用データＥＳを生成するデータ放送生成部と、入力される当該データ放送用コンテンツのコンテンツサイズからデータ放送で伝送するときの伝送ビットレートを導出し、前記導出した伝送ビットレートが所定の閾値を超える際に、当該データ放送用コンテンツのうち既定のカルーセル周期を超える分のデータ放送素材を前記データ放送生成部から送出させる伝送ビットレート管理部と、当該データ放送用コンテンツのうち既定のカルーセル周期を超える分のデータ放送について当該データ放送用コンテンツにおける前記画像情報を映像化するとともに前記テキスト情報を音声化したデータ放送動画を生成し、前記データ放送動画の映像ＥＳ及び音声ＥＳを当該多重する映像ＥＳ及び音声ＥＳとして送出するデータ放送動画生成部と、前記導出した伝送ビットレートが所定の閾値を超える際に、前記伝送ビットレート管理部からの指示によって前記データ放送動画の映像ＥＳ及び音声ＥＳの送出の制御を行うデータ放送動画切替部と、を備えることを特徴とする。
【００３０】
更に、本発明の放送システムは、データ放送用コンテンツについて、映像ＥＳ及び音声ＥＳに多重して伝送する放送システムであって、所定の蓄積サービスで蓄積サービス用データＥＳを蓄積して送出する蓄積サービス送出装置と、入力される当該データ放送用コンテンツのコンテンツサイズからデータ放送で伝送するときの伝送ビットレートを導出し、前記導出した伝送ビットレートが所定の閾値を超える際に、当該データ放送用コンテンツのうち既定のカルーセル周期を超える分のデータ放送素材を前記蓄積サービス送出装置に送出して蓄積させ、規定のカルーセル周期内のデータブロックで放送用データＥＳを生成するデータ放送生成装置と、前記データ放送生成装置から送出される放送用データＥＳと、前記蓄積サービス送出装置によって蓄積される蓄積サービス用データＥＳと、映像ＥＳ及び音声ＥＳとをそれぞれ割り当てられた帯域の伝送ビットレートで多重化する多重化装置と、当該多重化した映像ＥＳ、音声ＥＳ、放送用データＥＳ及び蓄積サービス用データＥＳについて放送波信号を生成する送信装置と、を備えることを特徴とする。
【００３１】
更に、本発明の放送システムは、データ放送用コンテンツについて、映像ＥＳ及び音声ＥＳに多重して伝送する放送システムであって、映像ＥＳ及び音声ＥＳで伝送するための同一コンテンツについて伝送ビットレートの異なる２種類の動画ファイルを予め格納している動画ファイルＤＢと、入力される当該データ放送用コンテンツのコンテンツサイズからデータ放送で伝送するときの伝送ビットレートを導出し、前記導出した伝送ビットレートが所定の閾値を超える際に、前記２種類の動画ファイルのうち伝送ビットレートの低い動画ファイルの映像ＥＳ及び音声ＥＳを多重する際の伝送容量からデータ放送の伝送ビットレートの拡張を行なって、規定のカルーセル周期内のデータブロックで放送用データＥＳを生成するデータ放送生成装置と、前記導出した伝送ビットレートが所定の閾値を超える際に、前記２種類の動画ファイルのうち伝送ビットレートの低い動画ファイルの映像ＥＳ及び音声ＥＳを出力する動画送出装置と、前記動画送出装置から送出される映像ＥＳ及び音声ＥＳと、前記データ放送生成装置によって生成される放送用データＥＳとをそれぞれ割り当てられた帯域の伝送ビットレートで多重化する多重化装置と、当該多重化した映像ＥＳ、音声ＥＳ及び放送用データＥＳについて放送波信号を生成する送信装置と、を備えることを特徴とする。
【００３２】
更に、本発明の放送システムは、データ放送用コンテンツについて、映像ＥＳ及び音声ＥＳに多重して伝送する放送システムであって、所定の蓄積サービスで蓄積サービス用データＥＳを蓄積して送出する蓄積サービス送出装置と、入力される当該データ放送用コンテンツのコンテンツサイズからデータ放送で伝送するときの伝送ビットレートを導出し、前記導出した伝送ビットレートが所定の閾値を超える際に、当該データ放送用コンテンツのうち既定のカルーセル周期を超える分のデータ放送素材を前記蓄積サービス送出装置に送出して蓄積させ、規定のカルーセル周期内のデータブロックで放送用データＥＳを生成するデータ放送生成装置と、前記データ放送生成装置から送出される放送用データＥＳと、前記蓄積サービス送出装置によって蓄積される蓄積サービス用データＥＳと、映像ＥＳ及び音声ＥＳとをそれぞれ割り当てられた帯域の伝送ビットレートで多重化する多重化装置と、当該多重化した映像ＥＳ、音声ＥＳ、放送用データＥＳ及び蓄積サービス用データＥＳについて放送波信号を生成する送信装置と、を備えることを特徴とする。
【００３３】
更に、本発明のプログラムは、データ放送用コンテンツについて、映像ＥＳ及び音声ＥＳに多重して伝送するための放送用データＥＳを生成するデータ放送生成装置として構成するコンピュータに、当該データ放送用コンテンツは画像情報とテキスト情報のうち少なくとも一方で分類することが可能な予め定めた優先度を有するカテゴリのデータ群となるように構成されており、規定のカルーセル周期内のデータブロックで放送用データＥＳを生成するステップと、入力される当該データ放送用コンテンツのコンテンツサイズからデータ放送で伝送するときの伝送ビットレートを導出し、前記導出した伝送ビットレートが所定の閾値を超える際に、当該データ放送用コンテンツ内の画像情報を削除することによりコンテンツサイズを小さくする画像削減判定処理、当該データ放送用コンテンツ内のカテゴリを前記優先度に応じて削減することによりコンテンツサイズを小さくするカテゴリ削減判定処理、及び、映像ＥＳ及び／又は音声ＥＳの伝送ビットレートを下げるか、又は映像ＥＳ及び音声ＥＳのうちの少なくとも一方の伝送を無くすことによりデータ放送の伝送ビットレートの拡張を行う映像・音声レート削減判定処理のうち少なくとも１つ以上を実行して、規定のカルーセル周期内のデータブロックで当該データ放送用コンテンツを伝送するよう前記放送用データＥＳの生成を制御するステップと、を実行させるためのプログラムである。
【発明の効果】
【００３４】
データ量が動的に変化するデータ放送用コンテンツを、伝送周期の上限（既定のカルーセル周期）を超えることなく伝送できるため、逐次更新されコンテンツサイズが動的に変化し、且つ緊急性を要することもある災害情報などのコンテンツの提供であっても、十分な放送サービスを実現することができるようになる。
【図面の簡単な説明】
【００３５】
【図１】本発明による第１実施形態のデータ放送生成装置及び放送システムのブロック図である。
【図２】（Ａ），（Ｂ），（Ｃ）は、本発明による第１実施形態のデータ放送生成装置及び放送システムにおけるデータＥＳの伝送の説明図である。
【図３】本発明による第１実施形態のデータ放送生成装置における伝送ビットレート管理部による制御を設定するための設定情報を入力するための設定画面例を示す図である。
【図４】本発明による第１実施形態のデータ放送生成装置における伝送ビットレート管理部による制御フローの一例を示す図である。
【図５】本発明による第２実施形態のデータ放送生成装置及び放送システムのブロック図である。
【図６】（Ａ），（Ｂ）は、本発明による第２実施形態のデータ放送生成装置及び放送システムにおけるデータＥＳの伝送の説明図である。
【図７】本発明による第３実施形態のデータ放送生成装置及び放送システムのブロック図である。
【図８】（Ａ），（Ｂ）は、本発明による第３実施形態のデータ放送生成装置及び放送システムにおけるデータＥＳの伝送の説明図である。
【図９】本発明による第４実施形態のデータ放送生成装置及び放送システムのブロック図である。
【図１０】（Ａ），（Ｂ），（Ｃ）は、本発明による第４実施形態のデータ放送生成装置及び放送システムにおけるデータＥＳの伝送の説明図である。
【図１１】本発明による第５実施形態のデータ放送生成装置及び放送システムのブロック図である。
【図１２】（Ａ），（Ｂ），（Ｃ）は、本発明による第５実施形態のデータ放送生成装置及び放送システムにおけるデータＥＳの伝送の説明図である。
【図１３】（Ａ），（Ｂ），（Ｃ）は、本発明による第６実施形態のデータ放送生成装置及び放送システムにおけるデータＥＳの伝送の説明図である。
【図１４】従来のデータ放送に関する放送システムを示すブロック図である。
【図１５】（Ａ），（Ｂ）は、従来のデータ放送に関する放送システムにおけるデータＥＳの伝送の説明図である。
【発明を実施するための形態】
【００３６】
〔第１実施形態〕
まず、本発明による第１実施形態のデータ放送生成装置及び放送システムを説明する。図１は、本発明による第１実施形態のデータ放送生成装置５０及び放送システム１のブロック図である。図１において、図１４に示すものと同様の構成要素には同一の参照番号を付している。第１実施形態の放送システム１は、符号化装置１１と、データ放送生成装置５０と、多重化装置１５と、送信装置１６とを備えており、通信サーバを利用しないで災害情報などのコンテンツを伝送する点で図１４に示すものとは相違する。
【００３７】
符号化装置１１は、カメラ１０から出力される映像信号及び音声信号を入力して、映像エンコーダ１１１及び音声エンコーダ１１２によりそれぞれデータ放送生成装置５０によって制御される伝送ビットレートで符号化処理を施し映像ＥＳ及び音声ＥＳを生成する。
【００３８】
データ放送生成装置５０は、伝送ビットレート管理部５１と、コンテンツ入力部５２と、データ放送生成部５３とを備える。コンテンツ入力部５２は、災害情報などのデータ放送用コンテンツを入力し、データ放送生成部５３に送出する。ここで、詳細に後述するが、データ放送用コンテンツは予め定めたカテゴリのデータ群となるように区分されており、各カテゴリのデータは、画像情報とテキスト情報のうち少なくとも一方で分類することができ、動的に更新することが容易な形態となっている。
【００３９】
また、データ放送生成装置５０は、所定の操作部及びモニタを備えるコンピュータによって構成することができ、コンテンツ入力部５２は、データ放送用コンテンツの入力に伴い、当該モニタ上に所定の設定画面１０００（後述する図３）を介して伝送ビットレート管理部５１による制御を設定するための設定情報を入力することができる。
【００４０】
伝送ビットレート管理部５１は、まず、データ放送生成部５３に入力されるデータ放送用コンテンツ（以下の例では、予め定めたカテゴリのデータ群からなる災害情報とする）のコンテンツサイズを調べ、データ放送で伝送するときの伝送ビットレートを導出し、次に、導出した伝送ビットレートと所定の閾値とを比較して、規定のカルーセル周期内のデータブロックで当該コンテンツを伝送可能となるように、当該データ放送用コンテンツ内の画像情報の削減、当該コンテンツを構成するカテゴリの設定された優先度に応じた削減、及び、映像ＥＳ及び／又は音声ＥＳの伝送を無くすか、又は映像ＥＳ及び／又は音声ＥＳの伝送ビットレートの削減によるデータＥＳの伝送ビットレートの拡張のうちの少なくとも１つ以上の処理を行い、データ放送生成部５３における放送用データＥＳの生成を制御するとともに、映像エンコーダ１１１及び音声エンコーダ１１２における映像ＥＳ及び音声ＥＳの伝送ビットレートを制御する。
【００４１】
データ放送生成部５３は、伝送ビットレート管理部５１の制御下で、規定のカルーセル周期内のデータブロックで放送用データＥＳを生成して多重化装置１５に送出する。
【００４２】
多重化装置１５は、符号化装置１１によって生成される映像ＥＳ及び音声ＥＳと、データ放送生成装置５０によって生成される放送用データＥＳとをそれぞれ割り当てられた帯域の伝送ビットレートで多重化し、送信装置１６に送信する。尚、データ放送で伝送されるコンテンツの放送用データＥＳのデータブロックは、規定のカルーセル周期のカルーセル構成にて伝送される。
【００４３】
送信装置１６は、多重化した映像ＥＳ、音声ＥＳ及び放送用データＥＳについて放送波信号を生成する。この放送波信号は、図１４に示す例と同様に、受信機２０にて受信可能にするために放送波を伝送する放送所１８に送出される。
【００４４】
本実施形態では、例えば、データ放送生成装置５０に入力される際のデータ放送用コンテンツの全てのデータを構成するデータブロックが１５個の “Ｄ１”〜“Ｄ１５”とする。このとき、例えば、図２（Ａ）に示すように、映像ＥＳ、音声ＥＳ及び放送用データＥＳについて通常時の伝送ビットレート（つまり、伝送ビットレート管理部５１による制御を行わないときの伝送ビットレート）では規定のカルーセル周期内で伝送できない場合、“Ｄ１”〜“Ｄ４”までしか伝送することができないときを考える。この場合、伝送ビットレート管理部５１により当該コンテンツ内の画像情報の削減及び当該コンテンツを構成するカテゴリの設定された優先度に応じた削減の処理を行った場合には、図２（Ｂ）に示すように、データ放送用コンテンツのデータ量を間引く（例えば、画像情報のデータブロックが“Ｄ５”，“Ｄ６”，“Ｄ７”のときには、これを間引く）ことで、コンテンツサイズを小さくすることができる。さらに、伝送ビットレート管理部５１により映像ＥＳ及び音声ＥＳの伝送ビットレートの削減とデータＥＳの伝送ビットレートの拡張の処理を行った場合には、図２（Ｃ）に示すように、データ放送生成装置５０に入力される際のデータ放送用コンテンツのうち、放送用データＥＳで伝送するデータブロック（“Ｄ１”〜“Ｄ４”及び“Ｄ８”〜“Ｄ１５”）を規定のカルーセル周期内で伝送することができる。これにより、受信機２０は、逐次更新されコンテンツサイズが動的に変化し、且つ緊急性を要することもある災害情報などのコンテンツであっても十分な放送サービスとして受信することができるようになる。尚、上述のようにコンテンツサイズを小さくしてからデータＥＳの伝送ビットレートの拡張を行う処理順（Ｓａ１→Ｓａ２）とする以外にも、データＥＳの伝送ビットレートの拡張を行ってからコンテンツサイズを小さくする処理順（Ｓｂ１→Ｓｂ２）とすることや、コンテンツサイズを小さくするのみとする処理や、データＥＳの伝送ビットレートの拡張のみを行う処理とするなど、伝送ビットレート管理部５１における各処理の優先順位やその処理内容を所定の設定画面１０００（後述する図３）により設定することができる。
【００４５】
次に、図３を参照して、データ放送生成装置５０における伝送ビットレート管理部５１による制御を設定するための設定情報を入力するための設定画面１０００の一例を説明する。
【００４６】
図３を参照するに、設定画面１０００により、伝送ビットレート管理部５１による制御として、当該コンテンツ内の画像情報の削減処理（画像削減判定処理）、当該コンテンツを構成するカテゴリの設定された優先度に応じた削減処理（カテゴリ削減判定処理）、及び、映像ＥＳ及び音声ＥＳの伝送ビットレートの削減とデータＥＳの伝送ビットレートの拡張を実行する処理（映像・音声レート削減判定処理）について、それぞれ設定することができる。
【００４７】
範囲条件提示画面１００１は、削減する際のデータＥＳの伝送ビットレート（図示「データレート」又は図示「データ放送のレート」）と、削減した状態から元に戻す際のデータＥＳの伝送ビットレート（図示「データレート（戻す閾値）」又は図示「データ放送のレート（戻す閾値）」）と、映像ＥＳの伝送ビットレート（図示「映像レート」）と、音声ＥＳの伝送ビットレート（図示「音声レート」）について、設定できる範囲条件を提示するものである。
【００４８】
画像削減設定画面１００２は、データ放送用コンテンツ内の画像情報について、削減しないを設定するか、又は、削除する際の条件として、データＥＳの伝送ビットレートが第１閾値の〇〇〇Kbpsを超えた場合は画像を伝送せず（オンエアせず）、第２閾値（戻す閾値）の△△△Kbpsを超えない場合は削減した状態から画像のデータを元に戻すという設定を可能にする設定画面を提示するものである。
【００４９】
カテゴリ削減設定画面１００３は、データ放送用コンテンツ内の予め定めた優先度のカテゴリについて、削減しないを設定するか、又は、削除する際の条件として、データＥＳの伝送ビットレートが第３閾値の〇〇〇Kbpsを超えた場合は優先度が低いカテゴリのデータを伝送せず（オンエアせず）、第４閾値（戻す閾値）の△△△Kbpsを超えない場合は削減した状態から当該カテゴリのデータを元に戻すという設定を可能にする設定画面を提示するものである。
【００５０】
ここで、カテゴリ一覧１００６に示すように、データ放送用コンテンツは予め定めたカテゴリのデータ群となるように区分されており、各カテゴリのデータは、画像情報とテキスト情報のうち少なくとも一方で分類することができ、動的に更新することが容易な形態となっている。本例では、データ放送用コンテンツとして災害情報を例示しており、この災害情報について、予め定めた７つのカテゴリ内のデータ群となるように指定していることを示している。例えば、災害情報のデータ放送用コンテンツを「安否情報」、「口コミ情報」、「勧告・指示」、「避難所」、「医療機関」、「炊き出し」及び「給水」のカテゴリのうちの１つ以上のカテゴリでデータ放送素材を構成する。
【００５１】
「安否情報」は、災害地域における被災者等の安否を確認するための情報をデータとしてテキスト情報で記述している項目であり、伝送する際の優先度を「高」として定めている。「口コミ情報」は、被災地における被災状況等について収集した情報をデータとしてテキスト情報で記述している項目であり、伝送する際の優先度を「低」として定めている。「勧告・指示」は、政府又は地方自治体等から勧告又は指示された非難地域や避難時刻等の情報をデータとして画像情報及び／又はテキスト情報で記述している項目であり、伝送する際の優先度を「高」として定めている。「避難所」は、被災地における避難所に関する地域及びスケジュールの情報をデータとして画像情報及び／又はテキスト情報で記述している項目であり、伝送する際の優先度を「低」として定めている。「医療機関」は、被災地における医療機関に関する地域及びスケジュールの情報をデータとして画像情報及び／又はテキスト情報で記述している項目であり、伝送する際の優先度を「低」として定めている。「炊き出し」は、被災地における炊き出しに関する地域及びスケジュールの情報をデータとして画像情報及び／又はテキスト情報で記述している項目であり、伝送する際の優先度を「低」として定めている。「給水」は、被災地における給水所に関する地域及びスケジュールの情報をデータとして画像情報及び／又はテキスト情報で記述している項目であり、伝送する際の優先度を「低」として定めている。
【００５２】
映像・音声レート削減設定画面１００４は、データ放送の伝送ビットレートを確保するために、映像ＥＳ及び音声ＥＳの伝送ビットレートのそれぞれについて、データ放送のレートの範囲毎に変更可能とする。例えば、データＥＳの伝送ビットレートが第５閾値の〇〇〇Kbpsを超えた場合は映像ＥＳ及び音声ＥＳの伝送ビットレートのそれぞれについて設定値で制限するか又は映像ＥＳ及び／又は音声ＥＳの伝送自体をなくす設定と、第６閾値（戻す閾値）の△△△Kbpsを超えない場合は映像・音声レートを削減した状態から元に戻すという設定について、複数のデータ放送のレートの範囲で可能にする設定画面を提示するものである。このため図示「＋追加」によって、複数のデータ放送のレートの範囲での制御の設定を追加することや、図示「□削除」によって、設定済のデータ放送のレートの範囲の項目を削除したり、図示「データレートで並び替え」によって、複数のデータ放送のレートの範囲をその数値の高い順（低い順でもよい）にソーティングして表示したりする項目が設けられている。
【００５３】
次に、図４を参照して、この設定画面１０００により設定される伝送ビットレート管理部５１による画像削減判定処理、カテゴリ削減判定処理、及び、映像・音声レート削減判定処理について説明する。図４は、本実施形態のデータ放送生成装置５０における伝送ビットレート管理部５１による制御フローの一例を示す図である。図４において、画像削減判定処理、カテゴリ削減判定処理、及び、映像・音声レート削減判定処理の順に制御する例を示しているが、これらの処理の順序を変更することができることは勿論である。
【００５４】
まず、データ放送のコンテンツがデータ放送入力部５２を介してデータ放送生成部５３に入力される（ステップＳ１）。このデータ放送のコンテンツの入力に際し、データ放送のコンテンツとして動的に逐次変化する災害情報を想定し、図３に示す設定画面１０００により伝送ビットレート管理部５１による制御が設定されているものとする。
【００５５】
（画像削減判定処理）
続いて、伝送ビットレート管理部５１は、データ放送に関する当該コンテンツのデータ放送時の伝送ビットレートを導出する（ステップＳ２）。
【００５６】
続いて、伝送ビットレート管理部５１は、当該コンテンツ内に含まれる画像を削減しているか否かを判別し（ステップＳ３）、削減していれば（ステップＳ３：Ｎｏ）、ステップＳ６に移行し、削減していなければ（ステップＳ３：Ｙｅｓ）、ステップＳ４に移行する。
【００５７】
ステップＳ４に移行した際、伝送ビットレート管理部５１は、図３に示す画像削減設定画面１００２の設定条件に従い、画像削減の非実行か又はデータ放送の伝送ビットレート＜第１閾値を判別し、画像削減の実行時に当該設定条件を満たしていなければ（ステップＳ４：Ｎｏ）、当該コンテンツに含まれる全ての画像情報を削除し（ステップＳ５）、当該設定条件を満たしていれば（ステップＳ４：Ｙｅｓ）、ステップＳ８に移行する。尚、削除した画像情報は、そのコンテンツ内の配置情報を含めて当該伝送ビットレート管理部５１による処理が終了するまで所定のメモリ（図示せず）に一時保存しておく。
【００５８】
一方、ステップＳ６に移行した際、伝送ビットレート管理部５１は、図３に示す画像削減設定画面１００２の設定条件に従い、画像削減の非実行か又はデータ放送の伝送ビットレート＞第２閾値（戻す閾値）を判別し、当該設定条件を満たしていなければ（ステップＳ６：Ｎｏ）、当該コンテンツに含まれていた全ての画像情報を削減していた状態から元に戻し（ステップＳ７）、当該設定条件を満たしていれば（ステップＳ６：Ｙｅｓ）、ステップＳ８に移行する。
【００５９】
（カテゴリ削減判定処理）
続いて、伝送ビットレート管理部５１は、データ放送に関する当該コンテンツのデータ放送時の伝送ビットレートを導出する（ステップＳ８）。
【００６０】
続いて、伝送ビットレート管理部５１は、当該コンテンツ内に含まれるカテゴリを削減しているか否かを判別し（ステップＳ９）、削減していれば（ステップＳ９：Ｎｏ）、ステップＳ１２に移行し、削減していなければ（ステップＳ９：Ｙｅｓ）、ステップＳ１０に移行する。
【００６１】
ステップＳ１０に移行した際、伝送ビットレート管理部５１は、図３に示すカテゴリ削減設定画面１００３の設定条件に従い、カテゴリ削減の非実行か又はデータ放送の伝送ビットレート＜第３閾値を判別し、カテゴリ削減の実行時に当該設定条件を満たしていなければ（ステップＳ１０：Ｎｏ）、当該コンテンツに含まれるカテゴリを設定した「優先度」に応じて削除し（ステップＳ１１）、当該設定条件を満たしていれば（ステップＳ１０：Ｙｅｓ）、ステップＳ１４に移行する。尚、削除したカテゴリの情報は、そのコンテンツ内の配置情報を含めて当該伝送ビットレート管理部５１による処理が終了するまで所定のメモリ（図示せず）に一時保存しておく。
【００６２】
一方、ステップＳ１２に移行した際、伝送ビットレート管理部５１は、図３に示すカテゴリ削減設定画面１００３の設定条件に従い、カテゴリ削減の非実行か又はデータ放送の伝送ビットレート＞第４閾値（戻す閾値）を判別し、当該設定条件を満たしていなければ（ステップＳ１２：Ｎｏ）、当該コンテンツに含まれていた全てのカテゴリの情報を削減していた状態から元に戻し（ステップＳ１３）、当該設定条件を満たしていれば（ステップＳ１２：Ｙｅｓ）、ステップＳ１４に移行する。
【００６３】
（映像・音声レート削減判定処理）
続いて、伝送ビットレート管理部５１は、データ放送に関する当該コンテンツのデータ放送時の伝送ビットレートを導出する（ステップＳ１４）。
【００６４】
続いて、伝送ビットレート管理部５１は、図３に示す映像・音声レート削減設定画面１００４の設定条件に従い、映像ＥＳ及び音声ＥＳの伝送ビットレートのそれぞれについて、データ放送のレートの範囲毎に変更する（ステップＳ１５）。より具体的には、伝送ビットレート管理部５１は、データＥＳの伝送ビットレートと設定された第５閾値を比較し、第５閾値を超えた場合は映像ＥＳ及び音声ＥＳの伝送ビットレートのそれぞれについて設定値で制限するか又は映像ＥＳ及び音声ＥＳの伝送自体をなくす。一方で、データＥＳの伝送ビットレートと設定された第６閾値（戻す閾値）を比較し、第６閾値（戻す閾値）を超える場合は映像・音声レートを削減した状態から元に戻す処理を行う。
【００６５】
続いて、伝送ビットレート管理部５１は、コンテンツサイズが規定のカルーセル周期内のデータ量（データブロックの数）となるまで、上記の画像削減判定処理、カテゴリ削減判定処理、及び、映像・音声レート削減判定処理を繰り返し実行する（ステップＳ１６）。尚、伝送ビットレート管理部５１は、このループが所定回数繰り返され、設定画面１０００に基づく設定内容では当該コンテンツサイズが規定のカルーセル周期内のデータ量とならないと判断した際は再設定を行う旨を当該モニタに提示する。
【００６６】
このようにして、伝送ビットレート管理部５１は、映像ＥＳ及び音声ＥＳ、並びにデータＥＳの伝送ビットレートを調整するとともに、データ放送のコンテンツサイズを適正化し規定のカルーセル周期内のデータブロックで伝送可能なデータＥＳを生成するよう制御する。
【００６７】
総括すると、伝送ビットレート管理部５１は、データ放送用コンテンツサイズに応じて、以下の５つの処理に優先順位を設けて、自動的にデータ放送用コンテンツに関するデータＥＳの送出制御を行う。
（１）映像と音声の伝送ビットレートを下げて、データ放送の帯域を広げる。
（２）音声の伝送を無しにして、データ放送の帯域を広げる。
（３）映像の伝送を無しにして、データ放送の帯域を広げる。
（４）データ放送用コンテンツ内の画像情報（例えば、地図等の静止画）を削除し、データ放送のコンテンツサイズを小さくする。
（５）データ放送用コンテンツ内の１つ以上のカテゴリに優先度を設けて、優先度の低いものは削除し、データ放送用コンテンツのサイズを小さくする。
【００６８】
これにより、受信機２０は、逐次更新されコンテンツサイズが動的に変化し、且つ緊急性を要することもある災害情報などのコンテンツであっても十分な放送サービスとして受信することができるようになる。
【００６９】
〔第２実施形態〕
次に、本発明による第２実施形態のデータ放送生成装置及び放送システムを説明する。図５は、本発明による第２実施形態のデータ放送生成装置５０ａ及び放送システム１ａのブロック図である。図５において、図１４に示すものと同様の構成要素には同一の参照番号を付している。第２実施形態の放送システム１ａは、動画ファイルＤＢ２１と、動画送出装置２２と、データ放送生成装置５０ａと、多重化装置１５と、送信装置１６とを備えており、通信サーバを利用しないで災害情報などのコンテンツを伝送する点で図１４に示すものとは相違する。また、第１実施形態では、カメラ１０から出力される映像及び音声をデータ放送と多重する際に、画像削減判定処理、カテゴリ削減判定処理、及び、映像・音声レート削減判定処理を行う例を説明したが、第２実施形態は、カメラ１０の代わりに予め用意した動画ファイルにおける映像及び音声をデータ放送と多重する例であり、動画ファイルとして同一コンテンツで伝送ビットレートの異なる２種類を用意しておき、データ放送用コンテンツサイズに応じて、再生ファイルを切り替えるようにする。尚、第２実施形態においても、前述した図３に示した設定画面１０００に基づいて設定された画像削減判定処理、カテゴリ削減判定処理、及び、映像・音声レート削減判定処理を併用することも可能である。
【００７０】
動画ファイルＤＢ２１は、映像信号及び音声信号で伝送するための同一コンテンツについて伝送ビットレートの異なる２種類の動画ファイルを予め格納しており、伝送ビットレートを予め低くして構成した動画ファイルを「低レート動画ファイル」と称し、伝送ビットレートを予め高いものとして構成した動画ファイルを「高レート動画ファイル」と称することにする。
【００７１】
動画送出装置２２は、高レート動画抽出部２２１及び低レート動画抽出部２２２を備えており、高レート動画抽出部２２１により動画ファイルＤＢ２１から高レート動画ファイルを抽出するか、又は低レート動画抽出部２２２により動画ファイルＤＢ２１から低レート動画ファイルを抽出するかを、データ放送生成装置５０によって選択制御され、選択された動画ファイルについて符号化処理を施し映像ＥＳ及び音声ＥＳを生成する。
【００７２】
データ放送生成装置５０ａは、伝送ビットレート管理部５１ａと、コンテンツ入力部５２ａと、データ放送生成部５３ａとを備える。コンテンツ入力部５２ａは、災害情報などのデータ放送用コンテンツを入力し、データ放送生成部５３ａに送出する。ここで、第１実施形態と同様に、データ放送用コンテンツは予め定めたカテゴリのデータ群となるように区分されており、各カテゴリのデータは、画像情報とテキスト情報のうち少なくとも一方で分類することができ、動的に更新することが容易な形態となっている。
【００７３】
また、データ放送生成装置５０ａは、所定の操作部及びモニタを備えるコンピュータによって構成することができ、コンテンツ入力部５２ａは、データ放送用コンテンツの入力に伴い、当該モニタ上に所定の設定画面１０００を介して伝送ビットレート管理部５１ａによる制御を設定するための設定情報を入力することができる。
【００７４】
伝送ビットレート管理部５１ａは、まず、データ放送生成部５３ａに入力されるコンテンツ（本例でも、第１実施形態と同様の災害情報とする）のコンテンツサイズを調べ、データ放送で伝送するときの伝送ビットレートを導出し、次に、導出した伝送ビットレートと所定の閾値とを比較して、規定のカルーセル周期内のデータブロックで当該コンテンツを伝送可能となるように、当該コンテンツ内の画像情報の削減、当該コンテンツを構成するカテゴリの設定された優先度に応じた削減、及び、映像ＥＳ及び音声ＥＳの伝送ビットレートの削減とデータＥＳの伝送ビットレートの拡張のうちの少なくとも１つ以上の処理を行い、データ放送生成部５３ａにおける放送用データＥＳの生成を制御するとともに、映像エンコーダ１１１及び音声エンコーダ１１２における映像ＥＳ及び音声ＥＳの伝送ビットレートを制御する。本実施形態では、伝送ビットレート管理部５１ａは、映像ＥＳ及び音声ＥＳの伝送ビットレートの削減処理に伴い、低レート動画ファイル及び高レート動画ファイルのいずれか一方を選択できるように構成され、動画ファイルＤＢ２１に格納される各動画ファイルの伝送ビットレートが事前設定により把握している。
【００７５】
データ放送生成部５３ａは、伝送ビットレート管理部５１ａの制御下で、規定のカルーセル周期内のデータブロックからなる放送用データＥＳを生成して多重化装置１５に送出する。
【００７６】
多重化装置１５は、動画送出装置２２から送出される映像ＥＳ及び音声ＥＳと、データ放送生成装置５０ａによって生成される放送用データＥＳとをそれぞれ割り当てられた帯域の伝送ビットレートで多重化し、送信装置１６に送信する。尚、データ放送で伝送されるコンテンツの放送用データＥＳは、規定のカルーセル周期のカルーセル構成にて伝送される。
【００７７】
送信装置１６は、多重化した映像ＥＳ、音声ＥＳ及び放送用データＥＳについて放送波信号を生成する。この放送波信号は、図１４に示す例と同様に、受信機２０にて受信可能にするために放送波を伝送する放送所１８に送出される。
【００７８】
本実施形態では、例えば、データ放送生成装置５０ａに入力される際のデータ放送用コンテンツの全てのデータを構成するデータブロックが１２個の “Ｄ１”〜“Ｄ１２”とする。このとき、例えば、図６（Ａ）に示すように、高レート動画ファイルからの映像ＥＳ（高レート映像ＥＳ）、高レート動画ファイルからの音声ＥＳ（高レート音声ＥＳ）及び放送用データＥＳについて通常時の伝送ビットレート（つまり、伝送ビットレート管理部５１ａによる制御を行わないときの伝送ビットレート）では規定のカルーセル周期内で伝送できない場合、“Ｄ１”〜“Ｄ４”までしか伝送することができないときを考える。この場合、伝送ビットレート管理部５１ａにより映像ＥＳ及び音声ＥＳの伝送ビットレートの削減のために、低レート動画ファイルからの映像ＥＳ（低レート映像ＥＳ）、低レート動画ファイルからの音声ＥＳ（低レート音声ＥＳ）を抽出してデータＥＳの伝送ビットレートの拡張の処理を行った場合には、図６（Ｂ）に示すように、データ放送生成装置５０ａに入力される際のデータ放送用コンテンツの全てのデータを構成するデータブロック（“Ｄ１”〜“Ｄ１２”）を規定のカルーセル周期内で伝送することができる。さらに加えて、第１実施形態と同様に、伝送ビットレート管理部５１ａにより当該コンテンツ内の画像情報の削減及び当該コンテンツを構成するカテゴリの設定された優先度に応じた削減の処理を行って、データ放送用コンテンツのデータ量を間引くことで削減したデータＥＳのデータブロックを規定のカルーセル周期内で伝送することもできる。これにより、受信機２０は、逐次更新されコンテンツサイズが動的に変化し、且つ緊急性を要することもある災害情報などのコンテンツであっても十分な放送サービスとして受信することができるようになる。
【００７９】
〔第３実施形態〕
次に、本発明による第３実施形態のデータ放送生成装置及び放送システムを説明する。図７は、本発明による第３実施形態のデータ放送生成装置５０ｂ及び放送システム１ｂのブロック図である。図７において、図１４に示すものと同様の構成要素には同一の参照番号を付している。第３実施形態の放送システム１ｂは、符号化装置１１と、データ放送生成装置５０ｂと、多重化装置１５と、送信装置１６とを備えており、通信サーバを利用しないで災害情報などのコンテンツを伝送する点で図１４に示すものとは相違する。また、第１実施形態では、カメラ１０から出力される映像及び音声をデータ放送と多重する際に、画像削減判定処理、カテゴリ削減判定処理、及び、映像・音声レート削減判定処理を行う例を説明したが、第３実施形態は、データＥＳ毎に優先順位を設定し、即ち低優先度枠データＥＳと高優先度枠データＥＳを設け、データ放送用コンテンツにおける優先度の高いカテゴリのデータを高優先度枠データＥＳに設定し、データ放送用コンテンツにおける優先度の低いカテゴリのデータを低優先度枠データＥＳに設定し、データＥＳのレート調整を行う。尚、第３実施形態においても、前述した図３に示した設定画面１０００に基づいて設定された画像削減判定処理、カテゴリ削減判定処理、及び、映像・音声レート削減判定処理を併用することも可能である。
【００８０】
符号化装置１１は、カメラ１０から出力される映像信号及び音声信号を入力して、映像エンコーダ１１１及び音声エンコーダ１１２によりそれぞれデータ放送生成装置５０によって制御可能な伝送ビットレートで符号化処理を施し映像ＥＳ及び音声ＥＳを生成する。
【００８１】
データ放送生成装置５０ｂは、伝送ビットレート管理部５１ｂと、コンテンツ入力部５２ｂと、データ放送生成部５３ｂとを備える。コンテンツ入力部５２ｂは、災害情報などのデータ放送用コンテンツを入力し、データ放送生成部５３ｂに送出する。ここで、第１実施形態と同様に、データ放送用コンテンツは予め定めたカテゴリのデータ群となるように区分されており、各カテゴリのデータは、画像情報とテキスト情報のうち少なくとも一方で分類することができ、動的に更新することが容易な形態となっている。
【００８２】
また、データ放送生成装置５０ｂは、所定の操作部及びモニタを備えるコンピュータによって構成することができ、コンテンツ入力部５２ｂは、データ放送用コンテンツの入力に伴い、当該モニタ上に所定の設定画面１０００を介して伝送ビットレート管理部５１ｂによる制御を設定するための設定情報を入力することができる。
【００８３】
伝送ビットレート管理部５１ｂは、まず、データ放送生成部５３ｂに入力されるコンテンツ（本例でも、第１実施形態と同様の災害情報とする）のコンテンツサイズを調べ、データ放送で伝送するときの伝送ビットレートを導出し、次に、導出した伝送ビットレートと所定の閾値とを比較して、規定のカルーセル周期内のデータブロックで当該コンテンツを伝送可能となるように制御する。より具体的には、伝送ビットレート管理部５１ｂは、データＥＳ毎に優先順位を設定し、即ち低優先度枠データＥＳと高優先度枠データＥＳを設け、データ放送用コンテンツにおける優先度の高いカテゴリのデータを高優先度枠データＥＳに設定するとともに、データ放送用コンテンツにおける優先度の低いカテゴリのデータを低優先度枠データＥＳに設定し、優先度の低い低優先度枠データＥＳの伝送ビットレートを低くし、優先度の高い高優先度枠データＥＳの伝送ビットレートを高くして、コンテンツサイズが大きくなっても既定のカルーセル周期を超えないように、データ放送生成部５３ａにおける放送用データＥＳの送出を制御する。
【００８４】
データ放送生成部５３ｂは、伝送ビットレート管理部５１ｂの制御下で、規定のカルーセル周期内のデータブロックで放送用データＥＳを生成して多重化装置１５に送出する。
【００８５】
多重化装置１５は、符号化装置１１から送出される映像ＥＳ及び音声ＥＳと、データ放送生成装置５０ｂによって生成される放送用データＥＳとをそれぞれ割り当てられた帯域の伝送ビットレートで多重化し、送信装置１６に送信する。尚、データ放送で伝送されるコンテンツの放送用データＥＳは、規定のカルーセル周期のカルーセル構成にて伝送される。
【００８６】
送信装置１６は、多重化した映像ＥＳ、音声ＥＳ及び放送用データＥＳについて放送波信号を生成する。この放送波信号は、図１４に示す例と同様に、受信機２０にて受信可能にするために放送波を伝送する放送所１８に送出される。
【００８７】
本実施形態では、例えば、データ放送生成装置５０ｂに入力される際のデータ放送用コンテンツの全てのデータを構成するデータＥＳが高優先度枠データＥＳのデータブロックとして９個の “Ｄ１”〜“Ｄ９”、低優先度枠データＥＳのデータブロックとして６個の “Ｄ１’”〜“Ｄ６’”とする。このとき、例えば、図８（Ａ）に示すように、放送用データＥＳについて通常時の伝送ビットレート（つまり、伝送ビットレート管理部５１ｂによる制御を行わないときの伝送ビットレート）では規定のカルーセル周期内で伝送できない場合、高優先度枠データＥＳの“Ｄ１”〜“Ｄ６”と低優先度枠データＥＳとして“Ｄ１”〜“Ｄ６”までしか伝送することができないときを考える。この場合、伝送ビットレート管理部５１ｂにより、低優先度枠データＥＳの伝送ビットレートを縮小し、高優先度枠データＥＳの伝送ビットレートを拡張する処理を行った場合には、図８（Ｂ）に示すように、データ放送生成装置５０ｂに入力される際のデータ放送用コンテンツの全てのデータを構成するデータブロック（“Ｄ１”〜“ Ｄ９”及び“Ｄ１’”〜“Ｄ６’”）を規定のカルーセル周期内で伝送することができる。さらに加えて、第１実施形態と同様に、伝送ビットレート管理部５１ｂにより当該コンテンツ内の画像情報の削減及び当該コンテンツを構成するカテゴリの設定された優先度に応じた削減の処理を行って、データ放送用コンテンツのデータ量を間引くことで削減したデータＥＳのデータブロックを規定のカルーセル周期内で伝送することもできる。このように、データ放送のコンテンツのカテゴリ毎に、設定した高優先度枠データＥＳ及び低優先度枠データＥＳに割り当て、コンテンツサイズに応じて、複数のＥＳ間で伝送ビットレートを調整することにより、受信機２０は、逐次更新されコンテンツサイズが動的に変化し、且つ緊急性を要することもある災害情報などのコンテンツであっても十分な放送サービスとして受信することができるようになる。
【００８８】
〔第４実施形態〕
次に、本発明による第４実施形態のデータ放送生成装置及び放送システムを説明する。図９は、本発明による第４実施形態のデータ放送生成装置５０ｃ及び放送システム１ｃのブロック図である。図９において、図１４に示すものと同様の構成要素には同一の参照番号を付している。第４実施形態の放送システム１ｃは、符号化装置１１と、データ放送生成装置５０ｃと、多重化装置１５と、送信装置１６とを備えており、通信サーバを利用しないで災害情報などのコンテンツを伝送する点で図１４に示すものとは相違する。また、第１実施形態では、カメラ１０から出力される映像及び音声をデータ放送と多重する際に、画像削減判定処理、カテゴリ削減判定処理、及び、映像・音声レート削減判定処理を行う例を説明したが、第４実施形態は、データ放送用コンテンツサイズが大きいと判別した際、データ放送用コンテンツのうち一部のデータ放送素材（即ち、既定のカルーセル周期を超える分のデータ放送素材）について、例えば、所定の地図やお知らせ静止画などの画像情報を映像化し、文字部分のテキスト情報を音声化したデータ放送動画を自動生成し、符号化装置１１から送出される映像ＥＳ及び音声ＥＳから、データ放送動画の映像ＥＳ及び音声ＥＳに切り替える。尚、第３実施形態においても、前述した図３に示した設定画面１０００に基づいて設定された画像削減判定処理、カテゴリ削減判定処理、及び、映像・音声レート削減判定処理を併用することも可能である。
【００８９】
符号化装置１１は、カメラ１０から出力される映像信号及び音声信号を入力して、映像エンコーダ１１１及び音声エンコーダ１１２によりそれぞれデータ放送生成装置５０ｃによって制御可能な伝送ビットレートで符号化処理を施し映像ＥＳ及び音声ＥＳを生成する。
【００９０】
データ放送生成装置５０ｃは、伝送ビットレート管理部５１ｃと、コンテンツ入力部５２ｃと、データ放送生成部５３ｃと、データ放送動画生成部５４ｃと、データ放送動画切替部５５ｃとを備える。コンテンツ入力部５２ｃは、災害情報などのデータ放送用コンテンツを入力し、データ放送生成部５３ｃに送出する。ここで、第１実施形態と同様に、データ放送用コンテンツは予め定めたカテゴリのデータ群となるように区分されており、各カテゴリのデータは、画像情報とテキスト情報のうち少なくとも一方で分類することができ、動的に更新することが容易な形態となっている。
【００９１】
また、データ放送生成装置５０ｃは、所定の操作部及びモニタを備えるコンピュータによって構成することができ、コンテンツ入力部５２ｃは、データ放送用コンテンツの入力に伴い、当該モニタ上に所定の設定画面１０００を介して伝送ビットレート管理部５１ｃによる制御を設定するための設定情報を入力することができる。
【００９２】
伝送ビットレート管理部５１ｃは、まず、データ放送生成部５３ｃに入力されるコンテンツ（本例でも、第１実施形態と同様の災害情報とする）のコンテンツサイズを調べ、データ放送で伝送するときの伝送ビットレートを導出し、次に、導出した伝送ビットレートと所定の閾値とを比較して、規定のカルーセル周期内のデータブロックで当該コンテンツを伝送可能となるように制御する。より具体的には、伝送ビットレート管理部５１ｃは、データ放送用コンテンツサイズが大きいと判別した際、データ放送用コンテンツのうち既定のカルーセル周期を超える分のデータ放送素材について、例えば所定の地図やお知らせ静止画などの画像情報を映像化し、文字部分のテキスト情報を音声化したデータ放送動画を自動生成するべくデータ放送生成部５３ｃに指示し、更に、符号化装置１１から送出される映像ＥＳ及び音声ＥＳから、データ放送動画の映像ＥＳ及び音声ＥＳに切り替えるべくデータ放送動画切替部５５ｃに指示して、コンテンツサイズが大きくなっても既定のカルーセル周期を超えないように、データ放送生成部５３ｃにおける放送用データＥＳの送出を制御する。
【００９３】
データ放送生成部５３ｃは、伝送ビットレート管理部５１ｃの制御下で、規定のカルーセル周期内のデータブロックで放送用データＥＳを生成して多重化装置１５に送出するとともに、既定のカルーセル周期を超える分のデータ放送素材についてデータ放送動画生成部５４ｃに送出する。ここで、“既定のカルーセル周期を超える分のデータ放送素材”に関して、伝送ビットレート管理部５１ｃは、データ放送用コンテンツは予め定めたカテゴリのデータ群となるように区分されており、各カテゴリのデータは、画像情報とテキスト情報のうち少なくとも一方で分類することができることから、既定のカルーセル周期を超える分のコンテンツのうち画像情報については映像化し、テキスト情報については音声化するように自動制御することが可能である。
【００９４】
データ放送動画生成部５４ｃは、データ放送生成部５３ｃから送出される既定のカルーセル周期を超える分のデータ放送素材についてデータ放送用動画を生成する。ここで云うデータ放送用動画は、複数の静止画からなる画像情報を所定の繰り返しで逐次切り替える映像信号とし、テキスト情報について音声化した音声信号とした動画ファイルとする。これにより、伝送ビットレート管理部５１ｃがデータ放送のコンテンツサイズが大きくなると判別した際、データ放送動画生成部５４ｃは、データ放送生成部５３ｃから既定のカルーセル周期を超える分のデータ放送素材についてデータ放送動画を自動生成することができる。尚、既定のカルーセル周期を超える分のデータ放送素材についてデータ放送動画を生成するにあたり、特定のカテゴリについてのみ行うように定めておくこともできる。
【００９５】
データ放送動画切替部５５ｃは、伝送ビットレート管理部５１ｃの制御下で、符号化装置１１から送出される映像ＥＳ及び音声ＥＳ（図示５７ｃ）から、データ放送動画の映像ＥＳ及び音声ＥＳ（図示５６ｃ）に切り替えて多重化装置１５に送出する。
【００９６】
多重化装置１５は、データ放送動画切替部５５ｃから送出される映像ＥＳ及び音声ＥＳと、データ放送生成装置５０ｃによって生成される放送用データＥＳとをそれぞれ割り当てられた帯域の伝送ビットレートで多重化し、送信装置１６に送信する。尚、データ放送で伝送されるコンテンツの放送用データＥＳは、規定のカルーセル周期のカルーセル構成にて伝送される。
【００９７】
送信装置１６は、多重化した映像ＥＳ、音声ＥＳ及び放送用データＥＳについて放送波信号を生成する。この放送波信号は、図１４に示す例と同様に、受信機２０にて受信可能にするために放送波を伝送する放送所１８に送出される。
【００９８】
本実施形態では、例えば、データ放送生成装置５０ｃに入力される際のデータ放送用コンテンツの全てのデータを構成するデータブロックが１２個の “Ｄ１”〜“Ｄ１２”とする。このとき、例えば、図１０（Ａ）に示すように、放送用データＥＳについて通常時の伝送ビットレート（つまり、伝送ビットレート管理部５１ｃによる制御を行わないときの伝送ビットレート）では規定のカルーセル周期内で伝送できない場合、“Ｄ１”〜“Ｄ６”までしか伝送することができないときを考える。この場合、伝送ビットレート管理部５１ｃにより、符号化装置１１から送出される映像ＥＳ及び音声ＥＳ（図示５７ｃ）から、データ放送動画の映像ＥＳ及び音声ＥＳ（図示５６ｃ）への切り替え制御を行った場合には、図１０（Ｂ）に示すように、データ放送生成装置５０ｃに入力される際のデータ放送用コンテンツの全てのデータを構成するデータＥＳのデータブロックについて規定のカルーセル周期内で伝送することができる。さらに加えて、第１実施形態と同様に、伝送ビットレート管理部５１ｃにより当該コンテンツ内の画像情報の削減及び当該コンテンツを構成するカテゴリの設定された優先度に応じた削減の処理を行って、データ放送用コンテンツのデータ量を間引くことで削減したデータＥＳのデータブロックを規定のカルーセル周期内で伝送することもできる。これにより、図１０（Ｃ）に示すように、受信機２０は、逐次更新されコンテンツサイズが動的に変化し、且つ緊急性を要することもある災害情報などのコンテンツであっても、受信機画面２０００にて、データ放送動画の動画表示部２００１で既定のカルーセル周期を超える分のデータ放送素材に関する情報を映像又は音声で再生し、データ放送表示部２００２で既定のカルーセル周期内のデータ放送素材に関する情報を再生することができ、十分な放送サービスとして受信することができるようになる。
【００９９】
〔第５実施形態〕
次に、本発明による第５実施形態のデータ放送生成装置及び放送システムを説明する。図１１は、本発明による第５実施形態のデータ放送生成装置５０ｄ及び放送システム１ｄのブロック図である。図１１において、図１４に示すものと同様の構成要素には同一の参照番号を付している。第５実施形態の放送システム１ｄは、符号化装置１１と、データ放送生成装置５０ｄと、蓄積サービス送出装置６０ｄと、多重化装置１５と、送信装置１６とを備えており、通信サーバを利用しないで災害情報などのコンテンツを伝送する点で図１４に示すものとは相違する。また、第１実施形態では、カメラ１０から出力される映像及び音声をデータ放送と多重する際に、画像削減判定処理、カテゴリ削減判定処理、及び、映像・音声レート削減判定処理を行う例を説明したが、第５実施形態は、データ放送のコンテンツサイズが大きくなると判別した際、データ放送用コンテンツのうち一部のデータ放送素材（即ち、既定のカルーセル周期を超える分のデータ放送素材）についてＶＨＦ‐Ｌｏｗ帯マルチメディア放送等で想定されている蓄積サービス用データＥＳを自動生成し、蓄積サービス用データＥＳとして作成したデータ放送素材以外のコンテンツを放送用データＥＳとして伝送する。尚、第５実施形態においても、前述した図３に示した設定画面１０００に基づいて設定された画像削減判定処理、カテゴリ削減判定処理、及び、映像・音声レート削減判定処理を併用することも可能である。ＶＨＦ‐Ｌｏｗ帯マルチメディア放送等で想定されている蓄積サービスに関しては、『実井  仁他，“データカルーセル伝送方式を用いたＶＨＦ‐Ｌｏｗ帯マルチメディア放送のコンテンツ蓄積受信特性に関する検討”，社団法人映像情報メディア学会，映像情報メディア学会技術報告，35(13),5-10, 2011-03-04』を参照されたい。
【０１００】
符号化装置１１は、カメラ１０から出力される映像信号及び音声信号を入力して、映像エンコーダ１１１及び音声エンコーダ１１２によりそれぞれデータ放送生成装置５０によって制御可能な伝送ビットレートで符号化処理を施し映像ＥＳ及び音声ＥＳを生成する。
【０１０１】
データ放送生成装置５０ｄは、伝送ビットレート管理部５１ｄと、コンテンツ入力部５２ｄと、データ放送生成部５３ｄとを備える。コンテンツ入力部５２ｄは、災害情報などのデータ放送用コンテンツを入力し、データ放送生成部５３ｄに送出する。ここで、第１実施形態と同様に、データ放送用コンテンツは予め定めたカテゴリのデータ群となるように区分されており、各カテゴリのデータは、画像情報とテキスト情報のうち少なくとも一方で分類することができ、動的に更新することが容易な形態となっている。
【０１０２】
また、データ放送生成装置５０ｄは、所定の操作部及びモニタを備えるコンピュータによって構成することができ、コンテンツ入力部５２ｄは、データ放送用コンテンツの入力に伴い、当該モニタ上に所定の設定画面１０００を介して伝送ビットレート管理部５１ｄによる制御を設定するための設定情報を入力することができる。
【０１０３】
伝送ビットレート管理部５１ｄは、まず、データ放送生成部５３ｄに入力されるコンテンツ（本例でも、第１実施形態と同様の災害情報とする）のコンテンツサイズを調べ、データ放送で伝送するときの伝送ビットレートを導出し、次に、導出した伝送ビットレートと所定の閾値とを比較して、規定のカルーセル周期内のデータブロックで当該コンテンツを伝送可能となるように制御する。より具体的には、伝送ビットレート管理部５１ｄは、データ放送用コンテンツサイズが大きいと判別した際、データ放送用コンテンツのうち既定のカルーセル周期を超える分のデータ放送素材について、ＶＨＦ‐Ｌｏｗ帯マルチメディア放送等で想定されている蓄積サービス用データＥＳを自動生成するべくデータ放送生成部５３ｄに指示し、コンテンツサイズが大きくなっても既定のカルーセル周期を超えないように、蓄積サービス用データＥＳとして作成したデータ放送素材以外のコンテンツを放送用データＥＳとして伝送するべくデータ放送生成部５３ｄに指示する。
【０１０４】
データ放送生成部５３ｄは、伝送ビットレート管理部５１ｄの制御下で、規定のカルーセル周期内のデータブロックで放送用データＥＳを生成して多重化装置１５に送出するとともに、既定のカルーセル周期を超える分のデータ放送素材について蓄積サービス送出装置６０ｄにおける蓄積サービス送出部６１ｄに送出する。尚、既定のカルーセル周期を超える分のデータ放送素材について蓄積サービス送出装置６０ｄに送出するにあたり、特定のカテゴリについてのみ行うように定めておくこともできる。
【０１０５】
蓄積サービス送出装置６０ｄは、蓄積サービス送出部６１ｄと、蓄積データ放送コンテンツＤＢ６２ｄと、蓄積コンテンツＤＢ６３ｄとを備えている。蓄積サービス送出装置６０ｄは、ＶＨＦ‐Ｌｏｗ帯マルチメディア放送等で想定されている既存の蓄積コンテンツについては蓄積コンテンツＤＢ６３ｄに格納されており、蓄積サービス送出部６１ｄによって受信機２０に対する蓄積サービスを提供可能な装置である。本実施形態では、蓄積サービス送出装置６０ｄは、さらに、蓄積サービス送出部６１ｄによってデータ放送生成部５３ｄから送出される既定のカルーセル周期を超える分のデータ放送素材から蓄積サービス用データＥＳを生成して蓄積データ放送コンテンツＤＢ６２ｄに格納する。蓄積サービス送出装置６０ｄは、蓄積サービス送出部６１ｄによって、蓄積データ放送コンテンツＤＢ６２ｄに格納される蓄積サービス用データＥＳを既定のカルーセル周期内で多重化装置１５に送出する。
【０１０６】
多重化装置１５は、符号化装置１１から送出される映像ＥＳ及び音声ＥＳと、データ放送生成装置５０ｄによって生成される放送用データＥＳと、蓄積サービス送出装置６０ｄから送出される蓄積サービス用データＥＳをそれぞれ割り当てられた帯域の伝送ビットレートで多重化し、送信装置１６に送信する。尚、データ放送で伝送されるコンテンツの放送用データＥＳは、規定のカルーセル周期のカルーセル構成にて伝送される。
【０１０７】
送信装置１６は、多重化した映像ＥＳ、音声ＥＳ、放送用データＥＳ及び蓄積サービス用データＥＳについて放送波信号を生成する。この放送波信号は、図１４に示す例と同様に、受信機２０にて受信可能にするために放送波を伝送する放送所１８に送出される。
【０１０８】
本実施形態では、例えば、データ放送生成装置５０ｄに入力される際のデータ放送用コンテンツの全てのデータを構成するデータブロックが８個の “Ｄ１”〜“Ｄ８”とする。このとき、例えば、図１２（Ａ）に示すように、放送用データＥＳについて通常時の伝送ビットレート（つまり、伝送ビットレート管理部５１ｄによる制御を行わないときの伝送ビットレート）では規定のカルーセル周期内で伝送できない場合、“Ｄ１”〜“Ｄ６”までしか伝送することができないときを考える。この場合、伝送ビットレート管理部５１ｄにより、データ放送用コンテンツサイズが大きいと判別した際、データ放送用コンテンツのうち既定のカルーセル周期を超える分のデータ放送素材について、ＶＨＦ‐Ｌｏｗ帯マルチメディア放送等で想定されている蓄積サービス用データＥＳを自動生成するべくデータ放送生成部５３ｄを制御し、蓄積サービス用データＥＳとして作成したデータ放送素材以外のコンテンツを放送用データＥＳとして伝送するべくデータ放送生成部５３ｄを制御した場合には、図１２（Ｂ）に示すように、データ放送生成装置５０ｄに入力される際のデータ放送用コンテンツの全てのデータを構成するデータＥＳのデータブロックについて規定のカルーセル周期内で伝送することができる。さらに加えて、第１実施形態と同様に、伝送ビットレート管理部５１ｄにより当該コンテンツ内の画像情報の削減及び当該コンテンツを構成するカテゴリの設定された優先度に応じた削減の処理を行って、データ放送用コンテンツのデータ量を間引くことで削減したデータＥＳのデータブロックを規定のカルーセル周期内で伝送することもできる。これにより、図１２（Ｃ）に示すように、受信機２０は、逐次更新されコンテンツサイズが動的に変化し、且つ緊急性を要することもある災害情報などのコンテンツであっても、受信機画面３０００にて、蓄積コンテンツ再生部３００１でデータ放送用コンテンツとして用意されていた全ての情報を再生することができ、十分な放送サービスとして受信することができるようになる。
【０１０９】
〔第６実施形態〕
次に、本発明による第６実施形態のデータ放送生成装置及び放送システムを説明する。本発明による第６実施形態は、第１実施形態のデータ放送生成装置５０及び放送システム１と同様の構成で実現することができることから図１及び図１３を参照して説明する。第１実施形態では、カメラ１０から出力される映像及び音声をデータ放送と多重する際に、画像削減判定処理、カテゴリ削減判定処理、及び、映像・音声レート削減判定処理を行う例を説明したが、第６実施形態では、伝送ビットレート管理部５１は、データ放送のコンテンツサイズが大きくなると判別した際、データ放送用コンテンツのテキスト情報に対し、句読点の前後で色を変えるなどして句読点をなくすことで、データ放送用コンテンツのコンテンツサイズを小さくするようデータ放送生成部５３に指示する機能を更に有する。
【０１１０】
本実施形態では、例えば、データ放送生成装置５０に入力される際のデータ放送用コンテンツの全てのデータを構成するデータブロックが８個の “Ｄ１”〜“Ｄ８”とする。このとき、例えば、図１３（Ａ）に示すように、放送用データＥＳについて通常時の伝送ビットレート（つまり、伝送ビットレート管理部５１による制御を行わないときの伝送ビットレート）では規定のカルーセル周期内で伝送できない場合、“Ｄ１”〜“Ｄ６”までしか伝送することができないときを考える。この場合、伝送ビットレート管理部５１により、データ放送用コンテンツサイズが大きいと判別した際、データ放送用コンテンツのテキスト情報に対し、句読点の前後で色を変えるなどして句読点をなくすことで、データ放送用コンテンツのコンテンツサイズを小さくするようデータ放送生成部５３を制御した場合には、図１３（Ｂ）に示すように、データ放送生成装置５０に入力される際のデータ放送用コンテンツの全てのデータを構成するデータＥＳのデータブロックについて規定のカルーセル周期内で伝送することができる。さらに加えて、第１実施形態と同様に、伝送ビットレート管理部５１により当該コンテンツ内の画像情報の削減及び当該コンテンツを構成するカテゴリの設定された優先度に応じた削減の処理を行って、データ放送用コンテンツのデータ量を間引くことで削減したデータＥＳのデータブロックを規定のカルーセル周期内で伝送することもできる。これにより、図１３（Ｃ）に示すように、受信機２０は、逐次更新されコンテンツサイズが動的に変化し、且つ緊急性を要することもある災害情報などのコンテンツであっても、動画表示部４００１及びデータ放送表示部４００２からなる受信機画面４０００にて、句読点を無くしたテキスト情報としても情報判別に困難性を伴わない態様でデータ放送用コンテンツとして用意されていた全ての情報を再生することができ、十分な放送サービスとして受信することができるようになる。
【０１１１】
尚、本発明による各実施形態のデータ放送生成装置のハード構成としては、通常のコンピュータを使用することができる。各実施形態のデータ放送生成装置は、ＣＰＵ、ＲＡＭ等の揮発性の記憶媒体、ＲＯＭ等の不揮発性の記憶媒体及びインターフェース等を備えたコンピュータによって構成される。各実施形態のデータ放送生成装置が備える制御部の各機能は、これらの機能を記述したプログラムをＣＰＵに実行させることによりそれぞれ実現される。すなわち、記憶媒体に格納されたプログラムをＣＰＵが読み出して実行することにより、コンピュータを各実施形態のデータ放送生成装置として機能させることができる。また、このプログラムは、磁気ディスクや光ディスク、半導体メモリ等の記憶媒体に格納して頒布することもできる。
【０１１２】
以上、実施形態を挙げて本発明を説明したが、本発明は前述の各実施形態に限定されるものではなく、その技術思想を逸脱しない範囲で種々変形可能である。例えば、第１実施形態〜第６実施形態のうち少なくとも２つ以上を組み合わせた態様で更なる実施形態とすることができる。
【産業上の利用可能性】
【０１１３】
本発明によれば、データ量が動的に変化するデータ放送用コンテンツを、伝送周期の上限（既定のカルーセル周期）を超えることなく伝送できるため、逐次更新されコンテンツサイズが動的に変化し、且つ緊急性を要することもある災害情報などのコンテンツの提供用途に有用である。
【符号の説明】
【０１１４】
１，１ａ，１ｂ，１ｃ，１ｄ  放送システム
１０  カメラ
１１  符号化装置
１２  データ放送生成装置
１３  通信サーバ
１４  通信用データＤＢ
１５  多重化装置
１６  送信装置
１７  ネットワーク
１８  放送所
１９  無線通信装置
２０  受信機
２１  動画ファイルＤＢ
２２  動画送出装置
５０，５０ａ，５０ｂ，５０ｃ，５０ｄ  データ放送生成装置
５１，５１ａ，５１ｂ，５１ｃ，５１ｄ  伝送ビットレート管理部
５２，５２ａ，５２ｂ，５２ｃ，５２ｄ  コンテンツ入力部
５３，５３ａ，５３ｂ，５３ｃ，５３ｄ  データ放送生成部
５４ｃ  データ放送動画生成部
５５ｃ  データ放送動画切替部
６０ｄ  蓄積サービス送出装置
６１ｄ  蓄積サービス送出部
６２ｄ  蓄積データ放送コンテンツＤＢ
６３ｄ  蓄積コンテンツＤＢ
１００  放送システム
１１１  映像エンコーダ
１１２  音声エンコーダ
１２１  コンテンツ入力部
１２２  データ放送生成部
２２１  高レート動画抽出部
２２２  低レート動画抽出部
【図１】
2013229831.tif 000003
【図２】
2013229831.tif 000004
【図３】
2013229831.tif 000005
【図４】
2013229831.tif 000006
【図５】
2013229831.tif 000007
【図６】
2013229831.tif 000008
【図７】
2013229831.tif 000009
【図８】
2013229831.tif 000010
【図９】
2013229831.tif 000011
【図１０】
2013229831.tif 000012
【図１１】
2013229831.tif 000013
【図１２】
2013229831.tif 000014
【図１３】
2013229831.tif 000015
【図１４】
2013229831.tif 000016
【図１５】
2013229831.tif 000017